(57)【要約】【課題】様々な角度からのマルチな撮影が可能であるとともにレントゲン室等に限定されずにＸ線撮影を可能としたカセッテホルダースタンドを提供する。【解決手段】ベース２と、ベース２に立設された支柱４と、支柱４に水平方向に回動自在及び上下動自在に装着された第１支持部材５と、第１支持部材５に上下方向に回動自在に連結された支持アーム１１と、支持アーム１１に上下方向に向けて回動自在に連結された第２支持部材１２と、第２支持部材１２に第２支持部材１２の周方向へ回動自在に連結された連結体１４と、連結体１４に上下方向に向けて回動自在に連結された第３支持部材１７と、第３支持部材１７に回動自在に連結されたホルダー取付部１６と、ホルダー取付部１６に係止されたカセッテホルダー２０を具備し、カセッテホルダー２０は、ホルダー本体２１とホルダー本体２１をホルダー取付部１６に係止するための取付板２２を具備した。【選択図】図１
2015112372.tif 000002
【特許請求の範囲】
【請求項１】
Ｘ線撮影に際してＸ線に感光する撮影用フィルムを収容したカセッテを保持するためのカセッテホルダースタンドであって、
ベース（２）と、
該ベース（２）に立設された支柱（４）と、
該支柱（４）に水平方向に回動自在に装着されるとともに前記支柱（４）に対して上下方向に移動自在とされた第１支持部材（５）と、
該第１支持部材（５）に上下方向に回動自在に連結された支持アーム（１１）と、
該支持アーム（１１）に上下方向に回動自在に連結された第２支持部材（１２）と、
該第２支持部材（１２）の上部に第２支持部材（１２）の周方向へ回動自在に連結された連結体（１４）と、
該連結体（１４）に上下方向に回動自在に連結された第３支持部材（１７）と、
該第３支持部材（１７）に回動自在に連結されたホルダー取付部（１６）と、
該ホルダー取付部（１６）に係止された、カセッテが保持されるカセッテホルダー（２０）と、を具備したことを特徴とするカセッテホルダースタンド。
【請求項２】
前記ホルダー取付部（１６）には固定口（１９０１）が形成され、
前記カセッテホルダー（２０）は、
ホルダー本体（２１）と、
該ホルダー本体（２１）の裏面に取り付けた、前記ホルダー取付部（１６）に形成した固定口（１９０１）に挿入される取付板（２２）と、を具備したことを特徴とする請求項１に記載のカセッテホルダースタンド。
【請求項３】
前記ホルダー本体（２１）の上部に、ホルダー本体（２１）に保持したカセッテの上方への移動を阻止する押え手段（２３）を具備したことを特徴とする請求項１又は請求項２に記載のカセッテホルダースタンド。
【発明の詳細な説明】
【技術分野】
【０００１】
本発明は、Ｘ線を用いて人体の内部を撮影する際に、撮影用フィルムが収容されたカセッテを保持するためのカセッテホルダースタンドに係り、より詳しくは、様々な角度からのマルチ撮影を可能にするためのカセッテホルダースタンドに関する。
【背景技術】
【０００２】
従来から、Ｘ線を用いて人体の内部を撮影するＸ線撮影装置が医療分野で広く用いられており、このＸ線撮影装置には、被写体である被験者を立たせた状態で撮影する立位型や、被写体である被験者を撮影台上に寝かせた状態で撮影する臥位型がある。
【０００３】
ここで、立位型のＸ線撮影装置について図面を参照して説明すると、図７は、従来の立位型のＸ線撮影装置を示した図であり、図において３１が立位型のＸ線撮影装置である。
【０００４】
そして、この立位型のＸ線撮影装置３１は、撮影用フィルムが収容されたカセッテや撮像素子等が収容された受光体が挿抜自在に収容された受像部３２を有しており、この受像部３２は、支柱３３に、支柱３３に沿って上下動自在に支持されており、受像部３２を上下動する方法としては、モーターを用いて電動で上下動する方法、あるいはカウンターバランス機構によって手動で受像部３２を上下動する方法が存在している。
【０００５】
そして、この立位型のＸ線撮影装置３１で患者等のＸ線撮影を行う際には、受像部３２に対向した被験者の後方に配置したＸ線放射装置からＸ線を照射する。そうすると、放射されたＸ線が被験者を透視しつつ、受像部内のカセッテのフィルムに感光する。
【０００６】
一方、図８は臥位型のＸ線撮影装置を示した図であり、図において４１が臥位型のＸ線撮影装置である。
【０００７】
そして、仰臥台のＸ線撮影装置４１は、天板４２と、天板４２を支えて、かつ上下方向に駆動する昇降駆動部４３を有しており、昇降駆動部４３の上部に設けられた昇降板４４の上面には、図示されていないが、Ｘ方向に自由に移動できるＸ方向支え台と、該Ｘ方向支え台上においてＹ方向に自由に移動できるＹ方向支え台が設けられ、Ｙ方向支え台に天板４２が固定されている。
【０００８】
また、前記昇降駆動部４３の周囲は蛇腹で覆われており、その内部には、昇降板４４と下部の基板間に、パンダグラフ機構のような昇降板４４を上下するための機構が内蔵されている。
【０００９】
更に、昇降板４４の中央には、Ｘ線撮影用のフィルムを収納したカセッテ４５が配置されており、Ｘ線撮影の際には、天井方向からＸ線放射装置が垂下され、このＸ線放射装置から放射されたＸ線が天板４２上の患者を透視し、更に天板４２を貫通してカセッテ４５に収納したフィルムに感光する。
【００１０】
このように、従来からＸ線撮影装置には、被写体である被験者を立たせた状態で撮影する立位型と被写体である被験者を撮影台上に寝かせた状態で撮影する臥位型があるが、いずれのＸ線撮影装置においても、撮影用フィルム等が収容されたカセッテを保持した受像部の移動が限定されているために、撮影できる向きが限られてしまい、様々な角度からの撮影が不可能であるという問題点がある。
【００１１】
また、前述の立位型のＸ線撮影装置ではカセッテを収容した受像部が支柱に支持されており、臥位型のＸ線撮影装置の場合にはカセッテは昇降板４４に配置されているために、例えばこれらのＸ線撮影装置を病室等に移動して病室内で患者のＸ線撮影を行うことは困難であり、レントゲン室等における撮影に限定されていた。
【００１２】
この点、ベッドでのＸ線撮影等を可能にした発明も提案されてはいるが、この場合でも、様々な角度からの撮影を可能としたものではなかった。
【先行技術文献】
【特許文献】
【００１３】
【特許文献１】特開平１０−３３７２８４号公報
【特許文献２】特開平８−３６２３０号公報
【特許文献３】実用新案登録第３０８６６９１号公報
【発明の概要】
【発明が解決しようとする課題】
【００１４】
そこで、本発明は、様々な角度からのマルチな撮影が可能であるとともに、レントゲン室等に限定されずにＸ線撮影を可能としたカセッテホルダースタンドを提供することを課題としている。
【課題を解決するための手段】
【００１５】
本発明のカセッテホルダースタンドは、
Ｘ線撮影に際してＸ線に感光する撮影用フィルムを収容したカセッテを保持するためのカセッテホルダースタンドであって、
ベースと、
該ベースに立設された支柱と、
該支柱に水平方向に回動自在に装着されるとともに前記支柱に対して上下方向に移動自在とされた第１支持部材と、
該第１支持部材に上下方向に回動自在に連結された支持アームと、
該支持アームに上下方向に回動自在に連結された第２支持部材と、
該第２支持部材の上部に第２支持部材の周方向へ回動自在に連結された連結体と、
該連結体に上下方向に回動自在に連結された第３支持部材と、
該第３支持部材に回動自在に連結されたホルダー取付部と、
該ホルダー取付部に係止された、カセッテが保持されるカセッテホルダーと、を具備したことを特徴としている。
【発明の効果】
【００１６】
本発明のカセッテホルダースタンドでは、支柱に対して水平方向への回動及び上下動自在とした第１支持部材と、この第１支持部材に対して上下方向へ回動自在とした支持アームと、支持アームに対して上下方向へ回動自在とした第２支持部材と、第２支持部材に対して第２支持部材の周方向へ回動自在とした連結体と、連結体に対して上下方向へ回動自在に連結された第３支持部材と、この第３支持部材に回動自在に連結されたホルダー取付部を有しており、このホルダー取付部に、カセッテが保持されるカセッテホルダーを係止している。
【００１７】
そのために、支柱に対する第１支持部材の位置及び角度、第１支持部材に対する支持アームの角度、支持アームに対する第２支持部材の角度、第２支持部材に対する連結体の位置、連結体に対する第３支持部材の角度、及び第３支持部材に対するホルダー取付部の角度を調整することで、カセッテホルダーに保持されたカセッテを様々な向きにすることが可能である。
【００１８】
従って、本発明のカセッテホルダースタンドでは、被験者のＸ線撮影に際して、様々な角度からのマルチな撮影が可能であり、更に、レントゲン室等に限定されずにＸ線撮影を行うことが可能である。
【図面の簡単な説明】
【００１９】
【図１】本発明のカセッテホルダースタンドの実施例の正面図である。
【図２】本発明のカセッテホルダースタンドの実施例の側面図である。
【図３】本発明のカセッテホルダースタンドの実施例の平面図である。
【図４】本発明のカセッテホルダースタンドの実施例の斜視図である。
【図５】本発明のカセッテホルダースタンドの実施例におけるカセッテホルダーを説明するための図である。
【図６】本発明のカセッテホルダースタンドの実施例におけるカセッテホルダーの裏面の一部を示す図である。
【図７】一般的な立位型Ｘ線撮影装置を説明するための図である。
【図８】一般的な臥位型のＸ線撮影装置を説明するための図である。
【発明を実施するための形態】
【００２０】
本発明のカセッテホルダースタンドでは、下面にキャスター等の移動手段を備えたベースを備えており、このベースには、支柱が立設されている。
【００２１】
そして、支柱の上部には第１支持部材が装着されており、この第１支持部材は、支柱に対して、上下動自在かつ、水平方向への回動自在としている。
【００２２】
また、第１支持部材には支持アームが連結されており、この支持アームは、第１支持部材に対して、上下方向に回動自在とされている。
【００２３】
更に、支持アームには第２支持部材が連結され、この第２支持部材は、上下方向に向けて回動自在とされている。
【００２４】
更にまた、第２支持部材には連結体が連結されており、この連結体は、第２支持部材の上部に、第２支持部材の周方向へ向けて回動自在に連結されている。
【００２５】
そして、連結体には、上下方向に向けて回動自在にして第３支持部材が連結されており、この第３支持部材には、ホルダー取付部が回動自在に連結され、このホルダー取付部に、カセッテが保持されるカセッテホルダーが係止されている。
【００２６】
ここで、カセッテホルダーを、ホルダー本体と、このホルダー本体の裏面に取り付けた取付板を具備し、一方、ホルダー取付部には固定口を形成して、ホルダー取付部の固定口に前記取付板を挿入することで、第２支持部材における連結体に、カセッテホルダーを係止するとよい。
【００２７】
また、ホルダー本体の上部に、ホルダー本体に保持したカセッテの上方への移動を阻止する押え手段を具備するとよく、これにより、カセッテの保持が容易となる。
【実施例１】
【００２８】
本発明のカセッテホルダースタンドの実施例について図面を参照して説明すると、図１乃至図４は本実施例のカセッテホルダースタンドの全体を示す図であり、図１は正面図、図２は側面図、図３は平面図、及び図４は斜視図である。
【００２９】
そして、図において１が本実施例のカセッテホルダースタンドで、また図においてＣは、内部に感光用フィルムを収納したカセッテであり、更に図において２０は、カセッテＣを保持するためのカセッテホルダーである。
【００３０】
また、図において２はベースである。即ち、本実施例のカセッテホルダースタンド１は、ベース２を有しており、本実施例においてこのベース２は、任意の形状の板状にするとともに下面には、複数個のキャスター３を有しており、これにより、本実施例のカセッテホルダースタンド１を容易に移動可能としている。
【００３１】
次に、図において４は支柱である。即ち、本実施例のカセッテホルダースタンド１では、ベース２に支柱４が立設されており、この支柱４の上部には第１支持部材が装着されている。
【００３２】
ここで、前記第１支持部材について説明すると、図において５が、第１支持部材であり、本実施例において前記第１支持部材５は、円柱状又は円筒状とした支持部材本体６を有しており、この支持部材本体６の下端部分にはフランジ部７が連設され、更に、このフランジ部７の下方部分は挿入部８としている。そして、この挿入部８は、前記支柱４に長手方向に形成した挿入孔内に、挿抜自在及び水平方向への回動自在に挿入されており、これにより、第１支持部材５は、支柱４に対して、水平方向への回動が自在であるとともに、上下方向への移動が自在とされている。
【００３３】
従って、支柱４に対する第１支持部材５の高さを変えることでカセッテＣの高さを調節することができるとともに、ベース２に対するカセッテＣの向きを調節することができる。ベース２に対するカセッテＣの向きを変えた状態を上面から示した図が図３であり、本実施例においては、カセッテＣの向きは無段階に変更可能としている。
【００３４】
なお、図において１０はブレーキレバーである。即ち、本実施例においては前記支柱４にブレーキレバー１０を有しており、このブレーキレバー１０の操作によって、支柱４内に挿入した挿入部の部分の位置を固定し、第１支持部材５の回動、上下動を阻止することを可能にしている。
【００３５】
また、本実施例において前記挿入部８は、支柱４の内部において、図示しないガスシリンダーによって支持されており、これにより、支柱４に対して上下方向への移動を自在としている。
【００３６】
次に、図において１１は支持アームである。即ち、本実施例のカセッテホルダースタンド１では、前記第１支持部材５に支持アーム１１を連結しており、本実施例においてこの支持アーム１１は、前記支持部材本体６の側面側に形成した連結片９に軸支することで、第１支持部材５に対して、上下方向へ向けて回動自在としている。従って、第１支持部材５に対する支持アーム１０の角度を変えることで、カセッテＣの高さを調節することが可能である。
【００３７】
次に、図において１２は第２支持部材である。即ち、本実施例のカセッテホルダースタンド１では、前記支持アーム１１の先端に第２支持部材１２を連結しており、本実施例において前記第２支持部材１２は、円筒状又は円柱状としており、側面に形成した連結片１３が、前記支持アーム１１の先端部に、上下方向への回動を自在として連結され、これにより、前記支持アーム１１に対して、第２支持部材１２を上下方向へ向けて回動自在としている。
【００３８】
そして、この第２支持部材１２の上部には連結体が装着されている。即ち、図において１４が連結体であり、本実施例において前記連結体１４は、円筒状又は円柱状としており、前記第２支持部材１１の周方向に回動自在にして、第２支持部材１１の上部に連結している。
【００３９】
そして、前記連結体１４には、上下方向に回動自在にして、第３支持部材１７が連結されている。即ち、図において１７が第３支持部材であり、この第３支持部材１７は、図５に示すように、一対の取付片１７ａと、この一対の取付片１７ａの先端部を連結した連結片１７ｂを有しており、一対の取付片１７ａが、前記連結体１４の側面に連設した連結片１５を左右から挟み込む形態で連結片１５に軸支されており、これにより第３支持部材１７は、連結体１４に、上下方向へ回動自在にして連結されている。
【００４０】
次に、図において１６はホルダー取付部である。即ち、本実施例におけるカセッテホルダースタンド１では、カセッテホルダーを係止するためのホルダー取付部１６を有しており、このホルダー取付部１６は、前記第３支持部材１７に回動自在にして連結されている。
【００４１】
ここで、前記ホルダー取付部１６について説明すると、本実施例において前記ホルダー取付部１６は回転板１８を有しており、この回転板１８は、前記第３支持部材１７における連結片１７ｂの表面に、連結片１７ｂと平行にして、回動自在に軸支され、連結片１７ｂとの平行状態を維持した状態で上下方向に回動自在としている。
【００４２】
また、前記回転板１８には取付部本体１９が連結されており、この取付部本体１８の上部には固定口１９０１が形成され、この固定口１９０１を介して、前記ホルダー取付部１６には、カセッテＣが保持されるカセッテホルダーが係止されている。
【００４３】
ここで、図において２０がカセッテホルダーであり、本実施例において前記カセッテホルダー２０は、ホルダー本体を有している。即ち、図において２１がホルダー本体であり、本実施例において前記ホルダー本体２１は、カセッテを十分に支持できる大きさの四角形状としており、左右の端部及び下端部にはカセッテＣの両端及び下端を支持するガイド２１０２が形成されている。そして、下端部にはカセッテＣの下端が載置される載置部２１０１が形成され、カセッテＣを、カセッテホルダー２０の上方から、一対のガイド２１０２間に挿入しながら下降させて、下端部を前記載置部２１０１上に載置することで、前記カセッテホルダー２０にカセッテＣをセットすることができる。
【００４４】
次に、図５において２２は取付板である。即ち、本実施例において前記カセッテホルダー２０は、カセッテホルダー２０を前記ホルダー取付部１６に係止するための取付板２２を有している。そして、本実施例において前記取付板２２は、前記ホルダー本体２１の裏面に備えており、前記ホルダー取付部１６における取付部本体１８の上部に形成した固定口１９０１内に挿入可能とし、前記取付板２２を固定口１９０１内に挿入することで、カセッテホルダー２０を、ホルダー取付部１６に係止することを可能としている。そしてこのとき、第３支持部材１７に対してホルダー取付部１６を回動することで、カセッテの向きを、縦向き、あるいは横向きに変えることを可能としている。
【００４５】
次に、図において２３は、カセッテホルダー２０にセットしたカセッテＣの上部を押え、カセッテの上方への移動を阻止するための押え板２３である。ここで、前記押え板２３について詳細に説明すると、図６は、カセッテホルダー２０の上方部分を裏面から示した図であり、図において、ホルダー本体２１の上部には、両側部分を除いて、正面側をＬ字状に折り曲げた押え板２３が、蝶番２４によって回動自在に連結されており、押え板２３を正面側に倒すことで、カセッテＣの上部を押え板２３で抑えることが可能となる。
【００４６】
一方、前記押え板２３の両側部分には、箱状としたロック手段収容部２６が配置されており、このロック手段収容部２６内には、倒した状態の押え板２３の下方部分にスライド自在としたロック手段２５が収容されている。そして、押え板２３を倒してカセッテＣの上部を抑えた状態において、ロック手段２５を押え板２３の下側にスライドさせることで、押え板２３が起立することを阻止し、カセッテＣの上方への移動を完全に阻止することが可能である。
【００４７】
次に、図において２７はカセッテＣを裏面から圧迫する押圧手段である。即ち、カセッテＣの厚み寸法はカセッテＣによって異なることがあり、カセッテＣが薄い場合には、前記ガイド２１０２内でカセッテＣが前後方向に動いてしまうおそれが考えられる。そこで、本実施例のカセッテホルダースタンドでは、このような、カセッテＣが薄い場合に、カセッテＣを裏面から圧迫して固定するための押圧手段２７を具備している。
【００４８】
ここで、前記押圧手段２７について説明すると、本実施例において押圧手段２７は、樹脂製の車輪状とした一対の押圧部材２８を有しており、この押圧部材２８は、その一部が、前記ホルダー本体２１に形成した押圧孔２１０３を貫通してカセッテＣ側に突出している。
【００４９】
また、前記一対の押圧部材２８は支持板２９によって連結されるとともに、この支持板２９は、蝶番３０によって回動自在とされ、更に、図示しないバネによって、前記押圧部材２８が前記押圧孔２１０３を貫通する方向に向けて付勢されている。そしてこれにより、押圧部材２８は常に、カセッテＣの裏面を押圧することとしている。
【００５０】
次に、本実施例のカセッテホルダースタンド１の作用について説明すると、本実施例のカセッテホルダースタンド１を用いて患者等の被験者のＸ線撮影を行う場合には、レントゲン室、診察室、病室等の撮影場所に本実施例のカセッテホルダースタンド１とＸ線放射装置を移動させる。
【００５１】
そして、被験者の体格、撮影する部位に応じて、支柱４に対する第１支持部材５の位置及び向き、第１支持部材５に対する支持アーム１１の角度、支持アーム１１に対する第２支持部材１２の角度、第２支持部材１２に対する連結体１４の向き、連結体１４に対する第３支持部材１７の角度を調整し、更に第３支持部材１７に対するホルダー取付部１６の回動角度を決め、カセッテをＸ線撮影に最適な向き、角度、位置にする。そして、ホルダー本体２１にカセッテＣをセットするとともに、押え板２３を倒してカセッテＣの上部を押え板２３で押え、更に、ロック手段２５を押え板２３の下側にスライドさせることで押え板２３が起立することを阻止し、その状態で、カセッテに被験者の撮影部位を対向させ、撮影部位に対してＸ線を照射する。そうすると、放射されたＸ線が被験者を透視しつつ、カセッテ内のフィルムに感光し、それにより、必要とする部位のＸ線撮影を行うことが可能となる。
【００５２】
そしてこのとき、本実施例のカセッテホルダースタンド１では、支柱４に対して第１支持部材５を、水平方向へ回動自在及び上下動自在にし、第１支持部材５に対して支持アーム１１を上下方向へ回動自在にし、支持アーム１１に対して第２支持部材１２を上下方向へ回動自在として、第２支持部材１２に対して連結体１４を第２支持部材１２の周方向へ回動自在として、連結体１４に対して第３支持部材１７を上下方向に回動自在にし、更に、第３支持部材１７に対してホルダー取付部１６を回動自在にし、ホルダー取付部１６にはカセッテが保持されるカセッテホルダーを係止しているために、支柱４に対する第１支持部材５の位置及び角度、第１支持部材５に対する支持アーム１１の角度と、支持アーム１１に対する第２支持部材１２の角度、第２支持部材１２に対する連結体１４の位置、及び連結体１４に対する第３支持部材１７の角度、第３支持部材１７に対するホルダー取付部１６の回動角度を調整することで、カセッテホルダー２０に保持されたカセッテＣを様々な向きにすることが可能である。従って、本実施例によれば、被験者のＸ線撮影に際して、様々な角度からのマルチな撮影が可能であり、更に、レントゲン室等に限定されずにＸ線撮影を行うことも可能である。
【００５３】
更に、本実施例のカセッテホルダースタンド１では、カセッテＣの上方への移動を阻止するとともに、カセッテＣが薄い場合でも、押圧手段によってカセッテＣに裏面から圧迫を加えているために、カセッテＣが動いてしまうことを有効に防止することが可能である。
【産業上の利用可能性】
【００５４】
本発明は、Ｘ線撮影において用いるカセッテを様々な角度及び位置にすることができるために、Ｘ線撮影においてカセッテを保持するためのカセッテホルダースタンドの全般に適用可能である。
【符号の説明】
【００５５】
１    カセッテホルダースタンド
２    ベース
３    キャスター
４    支柱
５    第１支持部材
６    支持部材本体
７    フランジ部
８    挿入部
９    連結片
１０    ブレーキレバー
１１    支持アーム
１２    第２支持部材
１３    連結片
１４    連結体
１５    連結片
１６    ホルダー取付部
１７    取付片
１８    取付部本体
１９    固定口
２０    カセッテホルダー
２１    ホルダー本体
２１０１    載置溝
２１０２    ガイド
２１０３    押圧孔
２２    取付板
２３    押え板
２４    蝶番
２５    ロック手段
２６    ロック手段収容部
２７    押圧手段
２８    押圧部材
２９    支持板
３０    蝶番
Ｃ    カセッテ
【図１】
2015112372.tif 000003
【図２】
2015112372.tif 000004
【図３】
2015112372.tif 000005
【図４】
2015112372.tif 000006
【図５】
2015112372.tif 000007
【図６】
2015112372.tif 000008
【図７】
2015112372.tif 000009
【図８】
2015112372.tif 000010